(57)【要約】【課題】画面表示にはサムネール画像だけを使用すると、高速化は図れるが、詳細な画像確認は出来ない。一方、詳細な主画像をデコードして表示すると、多数の画像を全て表示するのに、時間がかかりすぎてしまう。【解決手段】課題を解決するため本発明においては、サムネール画像を用いて高速にレイアウト表示を行い、同時にバックグラウンドで主画像をデコードし、デコードが完了したものから随時表示を置き換えていくことを特徴とする。【選択図】　　　　図８
2004029313.tif 000002
【特許請求の範囲】
【請求項１】
複数の画像データを記憶する記憶手段と、
画像データから低解像度画像をデコードする第１のデコード手段と、
画像データから高解像度画像をデコードする第２のデコード手段と、
一つ以上の高解像度画像をキャッシュするキャッシュ手段と、
表示装置上に一つ以上の画像をレイアウト表示する表示手段とを備え、
画像のレイアウト表示を行う際、上記表示手段により低解像度画像を用いてレイアウト表示を行い、前記キャッシュ内に高解像度画像がキャッシュされている画像については高解像度画像によりレイアウト表示を置き換え、前記キャッシュ内に高解像度画像がキャッシュされていない画像については、低解像度画像のレイアウト表示とは非同期に第２のデコード手段により高解像度画像のデコードを行い、デコードが完了した時点で高解像度画像でレイアウト表示を順次置き換える様制御する制御手段とを有することを特徴とする画像表示装置。
【請求項２】
表示に用いた高解像度画像をキャッシュ手段によりキャッシュすることを特徴とする、請求項１に記載の画像表示装置。
【請求項３】
画像印刷手段をさらに備え、上記レイアウト表示手段により表示されたレイアウトに従って画像を印刷することを特徴とする請求項１に記載の画像表示装置。
【請求項４】
一つ以上の低解像度画像をキャッシュする第２のキャッシュ手段をさらに備えることを特徴とする請求項１に記載の画像表示装置。
【請求項５】
表示に用いた低解像度画像を第２のキャッシュ手段によりキャッシュすることを特徴とする、請求項４に記載の画像表示装置。
【請求項６】
複数の画像を一覧表示し、レイアウト表示する画像を選択するための画像選択手段をさらに備えることを特徴とする請求項４に記載の画像表示装置。
【請求項７】
上記画像選択手段が表示に用いた低解像度画像を第２のキャッシュ手段によりキャッシュすることを特徴とする、請求項４に記載の画像表示装置。
【請求項８】
上記低解像度画像と高解像度画像は同一のファイルからデコードされることを特徴とする、請求項１に記載の画像表示装置。
【請求項９】
上記画像データは複数のレゾリューションレベルを備えるように符号化されたＪＰＥＧ２０００フォーマットであり、上記低解像度画像は低レゾリューションのデコードにより得られることを特徴とする、請求項８に記載の画像表示装置。
【請求項１０】
複数の画像データを記憶する記憶工程と、
画像データから低解像度画像をデコードする第１のデコード工程と、
画像データから高解像度画像をデコードする第２のデコード工程と、
一つ以上の高解像度画像をキャッシュするキャッシュ工程と、
表示装置上に一つ以上の画像をレイアウト表示する表示工程とを備え、
画像のレイアウト表示を行う際、
キャッシュ内に高解像度画像がキャッシュされている画像については高解像度画像を用いて表示を行い、高解像度画像がキャッシュされていない画像については低解像度画像を用いてレイアウト表示を行うとともに
キャッシュ内に高解像度画像がキャッシュされていない画像については、低解像度画像でのレイアウト表示とは非同期に第２のでコード工程で高解像度画像のデコードを行い、デコードが完了した時点で高解像度画像でレイアウト表示を順次置き換える制御工程とを有することを特徴とする画像表示方法。
【発明の詳細な説明】
【０００１】
【発明の属する技術分野】
本発明は、画像をレイアウト表示する方法、装置およびメディアに関する。
【０００２】
【従来の技術】
一つ以上の画像をレイアウトして印刷するアプリケーションにおいて、実際に印刷を行う前にモニター上でレイアウト表示を行い、印刷内容を確認するということが一般に行われている。
【０００３】
【発明が解決しようとする課題】
しかしながら従来の方式では、表示を行うための画像のデコードに時間がかかり、効率的な作業を妨げるという問題があった。
【０００４】
特開２００１−０５４０４３によれば、これを改善するためサムネール画像を用い、画面表示にはサムネール画像だけを使用し、印刷時に始めて実画像を使用することで高速化を図っているが、この方式によれば画面上で画像の細部を確認できないという問題があった。
【０００５】
またレイアウト表示を行うわけではないが特開平１１−００４３６７によれば、デジタルカメラ背面の画像表示領域に画像を連続的に切り替えて表示する際にサムネール画像を用い、画像の切り替えを終了（ユーザーが早送りボタンを放すなど）したときに主画像で置き換えるということを行っている。この方式によれば主画像デコード中は次の操作が開始できず、操作性が悪いという問題があった。
【０００６】
このように、画面表示にはサムネール画像だけを使用すると、高速化は図れるが、詳細な画像確認は出来ない。一方、詳細な主画像をデコードして表示すると、多数の画像を全て表示するのに、時間がかかりすぎてしまう。
【０００７】
【課題を解決するための手段】
上記課題を解決するため本発明においては、サムネール画像を用いて高速にレイアウト表示を行い、同時にバックグラウンドで主画像をデコードし、デコードが完了したものから随時表示を置き換えていくことで、高レスポンス、精細表示の両方の要求を満たすことを実現する。
【０００８】
【発明の実施の形態】
〔第１の実施例〕
図１は、本実施例が実行されるコンピュータシステムの構成を示すブロック図である。図１において、１０１はＣＰＵで、システム全体の制御を行なっている。１０２はキーボードで、１０２ａのマウスとともにシステムに入力するために使用される。１０３は表示装置で、ＣＲＴや液晶等で構成されている。１０４はＲＯＭ、１０５はＲＡＭで、システムの記憶装置を構成し、システムが実行するプログラムやシステムが利用するデータを記憶する。１０６はハードディスク装置、１０７はフロッピー（Ｒ）ディスク装置で、システムのファイルシステムに使用される外部記憶装置を構成している。１０８はプリンタである。
【０００９】
図３に、本実施形態のアプリケーションソフトウェアの画面構成例を示す。３１〜３４は画像表示領域、３５はプレビューボタン、３６は印刷ボタンである。ＨＤＤ１０６にはデジタルカメラの標準規格であるＤＣＦ形式の画像データが複数格納されており、操作者がプレビューボタン３５を押下すると画像データをＣＰＵ１０１でデコードし、３１〜３４に表示する。また、印刷ボタン３６を押下すると、画面に表示されたレイアウトに従ってプリンタ１０８を用いて印刷を行う。画像データは必ずしも画像表示領域と同じ大きさ（画素数）であるとは限らないが、周知の画像変倍方法を用いて変倍を行って大きさを調節して表示するものとする。
【００１０】
従来、ＤＣＦ画像の主画像をデコードしてレイアウト表示を行うのが一般的であった。この方法によれば表示装置１０３の解像度に応じて高精細なレイアウト表示が可能であるが、デコード処理に時間がかかり操作者へのレスポンスが悪いという問題があった。また、ＤＣＦ画像には主画像のほかに高速なデコードが可能なサムネール画像が格納されており、これを用いてレイアウト表示が行われることがあったが、サムネール画像は表示装置１０３に比較して解像度が低く、十分なレイアウト確認が困難であるという問題があった。本発明によれば、まずサムネールを用いたレイアウト表示を高速に行い、続いてバックグラウンドスレッドを用いて時間のかかる主画像デコードを行って、デコードが完了した主画像から随時表示を置き換えることにより、高速かつ高精細なレイアウト表示を行うものである。
【００１１】
図２のフローチャートを用いて、上記処理の流れを詳細に説明する。
ステップＳ２０１で、画像のサムネールをデコードする。
ステップＳ２０２で、サムネールを用いてレイアウト表示を行う。
ステップＳ２０３で、キャッシュメモリを参照し、表示画像の主画像がキャッシュされているかどうかをチェックし、キャッシュされている主画像だけレイアウト表示を差し替える。
ステップＳ２０４で、バックグラウンドスレッドを起動する。
ステップＳ２０５で、バックグラウンドスレッドにより主画像のデコードが完了したかどうかをチェックし、デコード中であればＳ２０５に戻る。デコードが完了したらＳ２０６に進む。
ステップＳ２０６で、デコードされた主画像を用いてレイアウト表示を更新する。
ステップＳ２０７で、全ての画像表示が主画像に差し替えられたかどうかをチェックし、まだならＳ２０５へ、完了したら処理を終了する。
【００１２】
続いてバックグラウンドスレッドの処理を説明する。
ステップＳ２０８でメインスレッドからの指示を受け、休眠状態を終了して処理を開始する。
ステップＳ２０９で変数ｉを値０で初期化する。
ステップＳ２１０でｉ番目の主画像がキャッシュされているかどうかをチェックし、されていなければＳ２１１へ、キャッシュされていればＳ２１３へ進む。
ステップＳ２１１でｉ番目の主画像をデコードする。
ステップＳ２１２でｉ番目の主画像をキャッシュする。
ステップＳ２１３で変数ｉを値１だけインクリメントする。
ステップＳ２１４で全画像をデコードしたかどうかをチェックし、まだならＳ２１０に戻る。完了したらＳ２１５に進み、自分自身を休眠状態にする。
【００１３】
この処理に従い、まずサムネールを用いて高速にレイアウト表示を行い、続いてキャッシュ内の主画像を用いて表示を更新し、次に比較的低速な主画像デコードが完了した画像から随時表示を更新することで、高レスポンスと高精細表示を両立することができる。
【００１４】
また、ステップＳ２０４の主画像デコード完了を待つループの間で、キーボード１０２、マウス１０２ａなどによる操作者からの入力に反応することができるので、時間のかかる主画像デコードを待つ間操作者の入力を受け付けなくなるということがなくなる。
【００１５】
なお、ここではステップＳ２０２とＳ２０３を分離し、まずサムネール表示を行ってからキャッシュ内主画像で置き換えたが、キャッシュ内の主画像を用いた表示が十分高速に行える場合はサムネール表示を省略して、主画像がキャッシュされている画像については最初から主画像を用いてレイアウト表示を行うようにしてもよい。
【００１６】
〔第２の実施例〕
図１は、本実施例が実行されるコンピュータシステムの構成を示すブロック図である。図１において、１０１はＣＰＵで、システム全体の制御を行なっている。１０２はキーボードで、１０２ａのマウスとともにシステムに入力するために使用される。１０３は表示装置で、ＣＲＴや液晶等で構成されている。１０４はＲＯＭ、１０５はＲＡＭで、システムの記憶装置を構成し、システムが実行するプログラムやシステムが利用するデータを記憶する。１０６はハードディスク装置、１０７はフロッピー（Ｒ）ディスク装置で、システムのファイルシステムに使用される外部記憶装置を構成している。１０８はプリンタである。
【００１７】
図３に、第２実施形態のアプリケーションソフトウェアの画面構成例を示す。４１〜４４は画像表示領域、４５はプレビューボタン、４６は印刷ボタン、４７はページ戻しボタン、４８はページ送りボタンである。また、４９はサムネール画像一覧表示領域であり、操作者はマウス１０２ａを用いるなどして、所望の画像を一覧の中から選択できるようになっている。
【００１８】
ＨＤＤ１０６にはデジタルカメラの標準規格であるＤＣＦ形式の画像データが複数格納されており、特定のディレクトリ内に格納されている全画像データがサムネール画像一覧表示領域に表示されている。図４においては３６個の画像の表示しか示されていないが、それ以上の数の画像データがディレクトリ内に格納されている場合はスクロールバーを用いるなどして全画像を表示・選択できるようにする。
【００１９】
はじめ画像表示領域４１〜４４には画像は表示されておらず、サムネール画像一覧表示領域には、ＨＤＤ１０６の特定のディレクトリに格納されたＤＣＦ画像、１．ｊｐｇ、２．ｊｐｇ、３．ｊｐｇ、．．．、３６．ｊｐｇが表示されている。操作者がマウス１０２ａを用いてサムネール画像をクリックしていくと、ＲＡＭ上の文字列配列に、図５に例示するように、クリックした順に画像ファイル名が格納されていく。これを４つずつ区切って、ページを構成する。すなわち、１ページ目は５．Ｊｐｇ、３．ｊｐｇ、８．ｊｐｇ、４．ｊｐｇの４つの画像をレイアウトしたものであり、画面上の表示領域４１〜４４に表示された様態で、後述するようにプリンタ１０８から印刷される。２ページ目以降も同様である。
【００２０】
操作者がプレビューボタン４５を押下すると１ページ目を構成する４つの画像データをＣＰＵ１０１でデコードし、４１〜４４に表示する。また、印刷ボタン４６を押下すると、画面に表示されたレイアウトに従ってプリンタ１０８を用いて印刷を行う。また、次ページボタン４８を押下すると、２ページ目を同様の手順で表示し、現在の表示ページが２ページ目以降の場合には前ページボタン４７を押下することで、直前のページを表示することができる。画像データは必ずしも画像表示領域と同じ大きさ（画素数）であるとは限らないが、周知の画像変倍方法を用いて変倍を行って大きさを調節して表示するものとする。
【００２１】
従来、ＤＣＦ画像の主画像をデコードしてレイアウト表示を行うのが一般的であった。この方法によれば表示装置１０３の解像度に応じて高精細なレイアウト表示が可能であるが、デコード処理に時間がかかり操作者へのレスポンスが悪いという問題があった。また、ＤＣＦ画像には主画像のほかに高速なデコードが可能なサムネール画像が格納されており、これを用いてレイアウト表示が行われることがあったが、サムネール画像は表示装置１０３に比較して解像度が低く、十分なレイアウト確認が困難であるという問題があった。本発明によれば、まずサムネールを用いたレイアウト表示を高速に行い、続いてバックグラウンドスレッドを用いて時間のかかる主画像デコードを行って、デコードが完了した主画像から随時表示を置き換えることにより、高速かつ高精細なレイアウト表示を行うものである。
【００２２】
図６のフローチャートを用いて、上記処理の流れを詳細に説明する。
ステップＳ６０１で、表示対象画像のサムネールを用いてレイアウト表示を行う。サムネール画像は一覧表示領域４９に表示する際すでにデコードしているのでこれをキャッシュしておけば、再度デコードする必要がなく高速に表示することができる。
ステップＳ６０２で、キャッシュメモリを参照し、表示画像の主画像がキャッシュされているかどうかをチェックし、キャッシュされている主画像だけレイアウト表示を差し替える。
ステップＳ６０３で、バックグラウンドスレッドを起動する。
ステップＳ６０４で、バックグラウンドスレッドにより主画像のデコードが完了したかどうかをチェックし、デコード中であればＳ６０７へ、デコードが完了したらＳ６０５に進む。
ステップＳ６０５で、デコードされた主画像を用いてレイアウト表示を更新する。
ステップＳ６０６で、全ての画像表示が主画像に差し替えられたかどうかをチェックし、まだならＳ６０４へ、完了したら処理を終了する。
ステップＳ６０７では操作者によりページ移動の指示があったかどうかをチェックする。操作者がポインティングデバイス１０２ａを用いてボタン４７乃至４８を押下したとき、現在表示しようとしているのと別のページに表示を切り替える必要があるので、ステップＳ６０１に戻ってサムネールによるレイアウト表示から表示をやり直す。移動指示がない場合はステップＳ６０４に戻る。このように、主画像をデコードしている最中でも随時ページ移動の指示に反応することができるため、操作者から見たレスポンスがよく、操作性を向上することができる。
【００２３】
続いてバックグラウンドスレッドの処理を説明する。
ステップＳ６０８でメインスレッドからの指示を受け、休眠状態を終了して処理を開始する。
ステップＳ６０９で変数ｉを値０で初期化する。
ステップＳ６１０でｉ番目の主画像がキャッシュされているかどうかをチェックし、されていなければＳ６１１へ、キャッシュされていればＳ６１３へ進む。ここでｉ番目の画像とは表示ページを構成する４つの画像のひとつを指しており、現在のページをｐとすると、図５のリストの、先頭から（Ｐ−１）＊４＋ｉ番目の画像がｉ番目の画像表示領域に対応している。以下同様である。
ステップＳ６１１でｉ番目の主画像をデコードする。
ステップＳ６１２でｉ番目の主画像をキャッシュする。
ステップＳ６１３で変数ｉを値１だけインクリメントする。
ステップＳ６１４で全画像をデコードしたかどうかをチェックし、まだならＳ６１６に進む。完了したらＳ６１５に進み、自分自身を休眠状態にする。
ステップＳ６１６では、メインスレッドと同様にページ移動の指示があったかどうかの判断を行い、移動されたときはＳ６０９へ、移動がなければＳ６１０へ進む。
【００２４】
この処理に従い、まずサムネールを用いて高速にレイアウト表示を行い、続いてキャッシュ内の主画像を用いて表示を更新し、次に比較的低速な主画像デコードが完了した画像から随時表示を更新することで、高レスポンスと高精細表示を両立することができる。
【００２５】
また、ステップＳ６０４−Ｓ６０７の主画像デコード完了を待つループの間で、キーボード１０２、マウス１０２ａなどによる操作者からの入力に反応することができるので、時間のかかる主画像デコードを待つ間でも随時ページ移動などの操作者の入力に反応することができ、操作性を向上することができる。
【００２６】
なお、ここではステップＳ６０１とＳ６０２を分離し、まずサムネール表示を行ってからキャッシュ内主画像で置き換えたが、キャッシュ内の主画像を用いた表示が十分高速に行える場合はサムネール表示を省略して、主画像がキャッシュされている画像については最初から主画像を用いてレイアウト表示を行うようにしてもよい。
【００２７】
〔第３の実施例〕
図１は、本実施例が実行されるコンピュータシステムの構成を示すブロック図である。図１において、１０１はＣＰＵで、システム全体の制御を行なっている。１０２はキーボードで、１０２ａのマウスとともにシステムに入力するために使用される。１０３は表示装置で、ＣＲＴや液晶等で構成されている。１０４はＲＯＭ、１０５はＲＡＭで、システムの記憶装置を構成し、システムが実行するプログラムやシステムが利用するデータを記憶する。１０６はハードディスク装置、１０７はフロッピー（Ｒ）ディスク装置で、システムのファイルシステムに使用される外部記憶装置を構成している。１０８はプリンタである。
【００２８】
図７に、本実施形態のアプリケーションソフトウェアの画面構成例を示す。７１〜７４は画像表示領域、７５はプレビューボタン、７６は印刷ボタンである。７７はレイアウト選択ラジオボタンであり、「４ｉｎ１」を選ぶと図７上の状態、「２ｉｎ１」を選ぶと下の状態に遷移する。図から明らかなように、４ｉｎ１と２ｉｎ１では画像表示領域のアスペクトが変わり、２ｉｎ１では縦長になるので、２ｉｎ１レイアウトのときは画像を回転して表示しなければならない。
【００２９】
ＨＤＤ１０６にはデジタルカメラの標準規格であるＤＣＦ形式の画像データが複数格納されており、操作者がプレビューボタン７５を押下すると画像データをＣＰＵ１０１でデコードし、７１〜７４に表示する。また、印刷ボタン７６を押下すると、画面に表示されたレイアウトに従ってプリンタ１０８を用いて印刷を行う。画像データは必ずしも画像表示領域と同じ大きさ（画素数）であるとは限らないが、周知の画像変倍方法を用いて変倍を行って大きさを調節して表示するものとする。
【００３０】
従来、ＤＣＦ画像の主画像をデコードしてレイアウト表示を行うのが一般的であった。この方法によれば表示装置１０３の解像度に応じて高精細なレイアウト表示が可能であるが、デコード処理に時間がかかり操作者へのレスポンスが悪いという問題があった。また、ＤＣＦ画像には主画像のほかに高速なデコードが可能なサムネール画像が格納されており、これを用いてレイアウト表示が行われることがあったが、サムネール画像は表示装置１０３に比較して解像度が低く、十分なレイアウト確認が困難であるという問題があった。本発明によれば、まずサムネールを用いたレイアウト表示を高速に行い、続いてバックグラウンドスレッドを用いて時間のかかる主画像デコードを行って、デコードが完了した主画像から随時表示を置き換えることにより、高速かつ高精細なレイアウト表示を行うものである。
【００３１】
図８のフローチャートを用いて、上記処理の流れを詳細に説明する。
ステップＳ８０１で、表示対象画像のサムネールをデコードする。
ステップＳ８０２で、表示対象画像のサムネールを用いてレイアウト表示を行う。上で説明した通り、２ｉｎ１レイアウトの場合は画像を９０度回転して表示する。
ステップＳ８０３で、キャッシュメモリを参照し、表示画像の主画像がキャッシュされているかどうかをチェックし、キャッシュされている主画像だけレイアウト表示を差し替える。
ステップＳ８０４で、バックグラウンドスレッドを起動する。
ステップＳ８０５で、バックグラウンドスレッドにより主画像のデコードが完了したかどうかをチェックし、デコード中であればＳ８０８へ、デコードが完了したらＳ８０６に進む。
ステップＳ８０６で、デコードされた主画像を用いてレイアウト表示を更新する。上で説明した通り、２ｉｎ１レイアウトの場合は画像を９０度回転して表示する。
ステップＳ８０７で、全ての画像表示が主画像に差し替えられたかどうかをチェックし、まだならＳ８０５へ、完了したら処理を終了する。
ステップＳ８０８では操作者によりレイアウト変更の指示があったかどうかをチェックする。操作者がポインティングデバイス１０２ａを用いてレイアウト選択ラジオボタン７７を操作してレイアウトを変更したとき、ステップＳ８０１に戻ってサムネールによるレイアウト表示から表示をやり直す。レイアウト変更指示がない場合はステップＳ８０５に戻る。このように、主画像をデコードしている最中でも随時レイアウト変更の指示に反応することができるため、操作者から見たレスポンスがよく、操作性を向上することができる。
【００３２】
続いてバックグラウンドスレッドの処理を説明する。
ステップＳ８０９でメインスレッドからの指示を受け、休眠状態を終了して処理を開始する。
ステップＳ８１０で変数ｉを値０で初期化する。
ステップＳ８１１でｉ番目の主画像がキャッシュされているかどうかをチェックし、されていなければＳ８１２へ、キャッシュされていればＳ８１４へ進む。
ステップＳ８１２でｉ番目の主画像をデコードする。
ステップＳ８１３でｉ番目の主画像をキャッシュする。
ステップＳ８１４で変数ｉを値１だけインクリメントする。
ステップＳ８１５で全画像をデコードしたかどうかをチェックし、まだならＳ８１７に進む。完了したらＳ８１６に進み、自分自身を休眠状態にする。
ステップＳ８１７では、メインスレッドと同様にレイアウト変更の指示があったかどうかの判断を行い、移動されたときはＳ８１０へ、移動がなければＳ８１１へ進む。
【００３３】
この処理に従い、まずサムネールを用いて高速にレイアウト表示を行い、続いてキャッシュ内の主画像を用いて表示を更新し、次に比較的低速な主画像デコードが完了した画像から随時表示を更新することで、高レスポンスと高精細表示を両立することができる。
【００３４】
また、ステップＳ８０５−Ｓ８０８の主画像デコード完了を待つループの間で、キーボード１０２、マウス１０２ａなどによる操作者からの入力に反応することができるので、時間のかかる主画像デコードを待つ間でも随時レイアウト変更などの操作者の入力に反応することができ、操作性を向上することができる。
【００３５】
なお、ここではステップＳ８０２とＳ８０３を分離し、まずサムネール表示を行ってからキャッシュ内主画像で置き換えたが、キャッシュ内の主画像を用いた表示が十分高速に行える場合はサムネール表示を省略して、主画像がキャッシュされている画像については最初から主画像を用いてレイアウト表示を行うようにしてもよい。
【００３６】
〔その他の実施形態〕
上記実施例では画像データはＤＣＦフォーマットで格納されているものとしたがこれに限らない。例えばより一般的なＪＰＥＧファイルフォーマットで格納されている場合、サムネール画像が存在しない。この場合はＪＰＥＧ画像は８が祖ｘ８がそのブロック単位でＤＣＴ変換されていることを利用し、ＤＣ成分だけを抽出することで高速に低解像の画像を作成することができるので、これをサムネールの代わりに用いる。
【００３７】
また、複数のレゾリューションレベルを備えるようにエンコードされたＪＰＥＧ２０００ファイルフォーマットや、ＦｌａｓｈＰｉｘファイルフォーマットのように、ファイルフォーマット自体がサポートする方法により低解像度の画像を高速にデコードできるようになっている場合は、これをサムネールの代わりに用いる。
【００３８】
【発明の効果】
以上説明したように本発明によれば、高レスポンス、精細表示の両方の要求を満たすことを実現する。また、操作者がいつでも次の操作を開始できるため操作性を向上できる。
【図面の簡単な説明】
【図１】画像表示装置の構成を示すブロック図である。
【図２】画像表示処理の流れを説明するフローチャートである。
【図３】画像表示装置の画面構成例を説明する図である。
【図４】第２実施例の画像表示装置の画面構成例を説明する図である。
【図５】第２実施例の画像選択リストの例を説明する図である。
【図６】第２実施例の画像表示処理の流れを説明するフローチャートである。
【図７】第３実施例の画像表示装置の画面構成例を説明する図である。
【図８】第３実施例の画像表示処理の流れを説明するフローチャートである。
【符号の説明】
１０１　ＣＰＵ
１０２　キーボード
１０３　表示部
１０４　ＲＯＭ
１０５　ＲＡＭ
１０６　ハードディスク
１０７　フロッピー（Ｒ）ディスク
１０８　プリンタ
１０９　ビデオキャプチャ
１１０　ビデオデッキ
【図１】
2004029313.tif 000003
【図２】
2004029313.tif 000004
【図３】
2004029313.tif 000005
【図４】
2004029313.tif 000006
【図５】
2004029313.tif 000007
【図６】
2004029313.tif 000008
【図７】
2004029313.tif 000009
【図８】
2004029313.tif 000010